(57)【要約】個人管理情報の印刷方法およびシステムを提供する。該方法は、個人管理情報の印刷に対するレイアウトを規定するＸＨＴＭＬテンプレートを使用して、個人管理情報のＸＨＴＭＬデータを生成して画像形成装置に伝送するステップと、伝送されたＸＨＴＭＬデータを解釈して個人管理情報を印刷するステップと、を含むことを特徴とする。これにより、ＸＨＴＭＬデータのようにスタイルを指定できるマークアップ言語を使用して、デバイスでユーザが容易に個人管理情報を編集して印刷可能にする。【選択図】図１
2009533747.tif 000002
【特許請求の範囲】
【請求項１】
個人管理情報の印刷に対するレイアウトを規定するＸＨＴＭＬ−Ｐｒｉｎｔテンプレートを使用して前記個人管理情報のＸＨＴＭＬ−Ｐｒｉｎｔデータをモバイルデバイスで生成し、生成されたＸＨＴＭＬ−Ｐｒｉｎｔデータを画像形成装置に伝送するステップと；
前記画像形成装置で前記伝送されたＸＨＴＭＬ−Ｐｒｉｎｔデータを解釈し、前記個人管理情報を印刷するステップと；
を含むことを特徴とする、個人管理情報の印刷方法。
【請求項２】
前記個人管理情報についての設定情報を受信するステップと；
前記受信された設定情報に対応するＸＨＴＭＬ−Ｐｒｉｎｔテンプレートを選択し、前記受信された設定情報が反映されたＸＨＴＭＬ−Ｐｒｉｎｔデータを生成した後に、前記生成されたＸＨＴＭＬ−Ｐｒｉｎｔデータを伝送リンクを経由して前記画像形成装置に伝送するステップと；
をさらに含むことを特徴とする、請求項１に記載の個人管理情報の印刷方法。
【請求項３】
前記個人管理情報は、日程表情報、住所録情報、作業目録情報および名刺情報のうち少なくとも一つ以上の情報を含むことを特徴とする、請求項２に記載の個人管理情報の印刷方法。
【請求項４】
前記設定される日程表情報は、日付情報、優先順位指定による識別情報およびユーザが入力した日程内容を含むことを特徴とする、請求項３に記載の個人管理情報の印刷方法。
【請求項５】
前記識別情報は、色相、フォントの種類、フォントのサイズ、陰影およびアンダーラインのうち何れか一つ以上を含むことを特徴とする、請求項４に記載の個人管理情報の印刷方法。
【請求項６】
前記個人管理情報のうち、前記日程表情報を選択するステップと；
前記選択された日程表情報のうち、一般優先順位指定が選択されるか否かを決定するステップと；
前記一般優先順位指定が選択されるとき、前記一般優先順位指定による新たな識別情報の設定が要求されるか否かを決定するステップと；
前記新たな識別情報の設定が要求されるとき、前記一般優先順位についての新たな識別情報を設定するステップと；
前記選択および設定された情報を前記個人管理情報の設定情報として保存するステップと；
をさらに含むことを特徴とする、請求項４に記載の個人管理情報の印刷方法。
【請求項７】
前記個人管理情報のうち、前記日程表情報を選択するステップと；
前記選択された日程表情報のうち、日程内容別に分類された内容別優先順位指定が選択されるか否かを決定するステップと；
前記内容別優先順位指定が選択されるとき、内容別優先順位に対する特定項目を選択するステップと；
前記内容別優先順位指定による新たな識別情報の設定が要求されるか否かを決定するステップと；
前記新たな識別情報の設定が要求されるとき、前記内容別優先順位についての新たな識別情報を設定するステップと；
前記選択および設定された情報を前記個人管理情報の設定情報として保存するステップと；
を含むことを特徴とする、請求項４に記載の個人管理情報の印刷方法。
【請求項８】
前記設定される住所録情報は、住所録のフィールド別識別情報、住所録のレコード別識別情報、住所録のフィールドおよびレコード別識別情報を含むことを特徴とする、請求項３に記載の個人管理情報の印刷方法。
【請求項９】
前記住所録のフィールド別識別情報、前記住所録のレコード別識別情報、前記住所録のフィールドおよびレコード別識別情報は、色相、フォントの種類、フォントのサイズ、陰影およびアンダーラインのうち何れか一つ以上を含むことを特徴とする、請求項８に記載の個人管理情報の印刷方法。
【請求項１０】
前記個人管理情報のうち、前記住所録情報を選択するステップと；
前記選択された住所録情報のうち、フィールド別設定が選択されるか否かを決定するステップと；
前記フィールド別設定が選択されるとき、特定フィールドを選択するステップと；
前記特定フィールドについての新たな識別情報の設定が要求されるか否かを決定するステップと；
前記新たな識別情報の設定が要求されるとき、前記フィールド別識別情報を設定するステップと；
前記選択および設定された情報を前記個人管理情報の設定情報として保存するステップと；
を含むことを特徴とする、請求項８に記載の個人管理情報の印刷方法。
【請求項１１】
前記個人管理情報のうち、前記住所録情報を選択するステップと；
前記選択された住所録情報のうち、レコード別設定が選択されるかを決定するステップと；
前記レコード別設定が選択されるとき、特定レコードを選択するステップと；
前記特定レコードについての新たな識別情報の設定が要求されるか否かを決定するステップと；
前記新たな識別情報の設定が要求されるとき、前記レコード別識別情報を設定するステップと；
前記選択および設定された情報を前記個人管理情報の設定情報として保存するステップと；
を含むことを特徴とする、請求項８に記載の個人管理情報の印刷方法。
【請求項１２】
前記ＸＨＴＭＬ−Ｐｒｉｎｔデータは、イメージの挿入された個人管理情報が印刷される、または名刺情報に前記イメージが印刷されるように生成されることを特徴とする、請求項２に記載の個人管理情報の印刷方法。
【請求項１３】
請求項１に記載の方法を実行するためのプログラムを記録したコンピュータで読み取り可能な記録媒体。
【請求項１４】
個人管理情報の印刷に対するレイアウトを規定するＸＨＴＭＬ−Ｐｒｉｎｔテンプレートを使用し、前記個人管理情報のＸＨＴＭＬ−Ｐｒｉｎｔデータを生成し、伝送リンクを経てＸＨＴＭＬ−Ｐｒｉｎｔデータを伝送する電子デバイスと；
前記伝送リンクを通じて前記電子デバイスから伝送された前記ＸＨＴＭＬ−Ｐｒｉｎｔデータを受信して、前記個人管理情報を印刷する画像形成装置と；
を備えることを特徴とする、個人管理情報印刷システム。
【請求項１５】
前記電子デバイスは、
前記個人管理情報に対する多様なレイアウトに対応するＸＨＴＭＬ−Ｐｒｉｎｔテンプレート情報を保存するＸＨＴＭＬ−Ｐｒｉｎｔテンプレート情報保存部と；
前記個人管理情報についての設定情報が入力されるユーザインターフェース部と；
前記入力された設定情報を保存する設定情報保存部と；
前記保存された設定情報に対応するＸＨＴＭＬ−Ｐｒｉｎｔテンプレートを検出し、前記入力された設定情報が反映されたＸＨＴＭＬ−Ｐｒｉｎｔデータを生成するＸＨＴＭＬ−Ｐｒｉｎｔデータ生成部と；
前記生成されたＸＨＴＭＬ−Ｐｒｉｎｔデータを、伝送リンクを通じて前記画像形成装置に伝送するデータ伝送部と；
を備えることを特徴とする、請求項１４に記載の個人管理情報印刷システム。
【請求項１６】
前記個人管理情報は、日程表情報、住所録情報、作業目録情報および名刺情報のうち少なくとも一つ以上の情報を含むことを特徴とする、請求項１５に記載の個人管理情報印刷システム。
【請求項１７】
前記設定される日程表情報は、日付情報、優先順位指定による識別情報およびユーザが入力した日程内容を含み、
前記識別情報は、色相、フォントの種類、フォントのサイズ、陰影およびアンダーラインのうち何れか一つ以上を含むことを特徴とする、請求項１４に記載の個人管理情報印刷システム。
【請求項１８】
前記保存される住所録情報は、住所録のフィールド別識別情報、住所録のレコード別識別情報および住所録のフィールド並びにレコード別識別情報を含み、
前記住所録のフィールド別識別情報、前記住所録のレコード別識別情報、前記住所録のフィールドおよびレコード別識別情報は、色相、フォントの種類、フォントのサイズ、陰影およびアンダーラインのうち、何れか一つ以上を含むことを特徴とする、請求項１６に記載の個人管理情報印刷システム。
【請求項１９】
前記個人管理情報印刷システムは、
前記個人管理情報に挿入される多様なイメージを保存する挿入イメージ保存部をさらに備え、
前記ＸＨＴＭＬ−Ｐｒｉｎｔデータ生成部は、前記イメージ保存部に保存されたイメージが挿入された個人管理情報が印刷されるように、前記ＸＨＴＭＬ−Ｐｒｉｎｔデータを生成することを特徴とする、請求項１５に記載の個人管理情報印刷システム。
【請求項２０】
前記画像形成装置は、
前記デバイスから伝送された前記ＸＨＴＭＬ−Ｐｒｉｎｔデータを解釈するインタープリタと；
前記解釈されたＸＨＴＭＬ−Ｐｒｉｎｔデータを印刷する印刷エンジン部と；
を備えることを特徴とする、請求項１４に記載の個人管理情報印刷システム。
【請求項２１】
ユーザから入力された個人管理情報の設定情報を入力されるユーザインターフェース部と；
個人管理情報の多様なレイアウトに相応するＸＨＴＭＬ−Ｐｒｉｎｔテンプレートを保存し、ユーザによって入力された前記設定情報を保存する保存部と；
前記設定情報に相応するＸＨＴＭＬ−Ｐｒｉｎｔテンプレートを検出し、前記入力された設定情報が反映されたＸＨＴＭＬ−Ｐｒｉｎｔデータを生成し、伝送リンクを通じて生成されたＸＨＴＭＬ−Ｐｒｉｎｔデータを伝送する制御部と；
を備えることを特徴とする、モバイルデバイス。
【請求項２２】
前記個人管理情報は、日程表情報、住所録情報、作業目録情報および名刺情報のうち少なくとも一つを含むことを特徴とする、請求項２１に記載のモバイルデバイス。
【請求項２３】
前記日程表情報は、日付情報、優先順位指定による識別情報およびユーザが入力した日程内容を含み、
前記識別情報は、色相、フォントの種類、フォントのサイズ、陰影およびアンダーラインのうち何れか一つ以上を含むことを特徴とする、請求項２２に記載のモバイルデバイス。
【請求項２４】
前記住所録情報は、住所録のフィールド別識別情報、住所録のレコード別識別情報および住所録のフィールド並びにレコード別識別情報を含み、
前記住所録のフィールド別識別情報、前記住所録のレコード別識別情報、前記住所録のフィールドおよびレコード別識別情報は、色相、フォントの種類、フォントのサイズ、陰影およびアンダーラインのうち何れか一つ以上を含むことを特徴とする、請求項２２に記載のモバイルデバイス。
【請求項２５】
前記保存部は、個人管理情報に挿入される多様なイメージをさらに保存し、
前記制御部は、イメージが挿入された前記個人管理情報を印刷するために、前記ＸＨＴＭＬ−Ｐｒｉｎｔデータを生成することを特徴とする、請求項２２に記載のモバイルデバイス。
【請求項２６】
前記ＸＨＴＭＬ−Ｐｒｉｎｔデータは、伝送リンクを通じて画像形成装置に伝送されて前記画像形成装置で印刷され、
前記画像形成装置は、前記電子デバイスから伝送された前記ＸＨＴＭＬ−Ｐｒｉｎｔデータを解釈するインタープリタと；
前記解釈されたＸＨＴＭＬ−Ｐｒｉｎｔデータを印刷する印刷エンジン部と；
を備えることを特徴とする、請求項２２に記載のモバイルデバイス。
【発明の詳細な説明】
【技術分野】
【０００１】
本発明は、モバイル機器の電子デバイスを使用しての画像形成装置での印刷物出力に係り、さらに詳細には、ＸＨＴＭＬ−Ｐｒｉｎｔデータのように、スタイルを指定できるマークアップ言語を使用して、個人管理情報を印刷する方法およびシステムに関する。
【背景技術】
【０００２】
携帯電話のようなモバイルデバイスが広く普及されるにつれて、それらがデジタルイメージをキャプチャーして保存または伝送するのに使われる。また、これらのモバイル機器のイメージ解像度は、デジタルスチールカメラと類似した方式で継続的に向上している。消費者は、家庭で簡単で信頼できるモバイル印刷ソリューションを提供する写真および印刷産業を期待する。例えば、ユーザは、セルラーフォンのようなモバイル機器を使用して、単純なフォーマットでモバイルフォンのような同じモバイル機器から写真をプリントすることを所望する。しかし、ユーザが撮影した写真の出力において、既存には、単純な形態の写真のみを要求したが、モバイルデバイス技術の発達によって、多様な形態のレイアウトと色々な情報とを構成できるＸＨＴＭＬ−Ｐｒｉｎｔデータのようなコンテンツを提供している。
【０００３】
ハードウェア、ソフトウェアおよび無線産業全般でモバイル印刷ガイドラインを推進している中立的で非営利の団体であるＭＩＰＣ（Ｍｏｂｉｌｅ  Ｉｍａｇｉｎｇ  ａｎｄ  Ｐｒｉｎｔｉｎｇ  Ｃｏｎｓｏｒｔｉｕｍ）では、前記のようなモバイルデバイスとプリンタとの間の機能を利用できる多様な技術が議論されている。ここで、モバイルデバイスの機能は、複雑になる一方、モバイルデバイス自体のＣＰＵと各種リソースとのパワーの限界を克服せねばならないという問題点が出てきており、このような問題点を解決するために、モバイルデバイスでは、最小限のモジュールとプロセシングとを行い、プリンタで多くの部分を行わせる技術的なフローが形成されている。
【０００４】
ホストコンピューターでは、アプリケーションを利用して個人管理情報を出力する。個人管理情報は、日程表、住所録、作業目録などユーザ個人の日常と関連した情報を意味する。例えば、日程表を作る時には、まずユーザが該当日に自身の日程を入力した後に、特定アプリケーションで出力しようとする日程の範囲（例：週間、月間など）を定めれば、選択した量だけの日程表が生成されて画面にディスプレイされる。ユーザが画面にディスプレイされた日程表を印刷するために、アプリケーションのメニューで印刷メニューを選択して出力を要請すれば、日程表データは、ホストコンピュータに設置されたプリンタドライバを通じてＰＤＬ（Ｐｒｉｎｔｅｒ  Ｄｉｓｃｒｉｐｔｉｏｎ  Ｌａｎｇｕａｇｅ）データに変換され、変換されたデータは、プリンタに伝送され、プリンタは、エミュレータと印刷エンジンとを使用して日程表を出力する。
【発明の開示】
【発明が解決しようとする課題】
【０００５】
しかしながら、ホストコンピュータで特定アプリケーションを利用して日程表を作る時には、ユーザは、所望のパターンによって個人管理情報が出力できない。このような制約条件は、デスクトップまたはラップトップコンピュータのようなホストコンピュータよりハードウェア／ソフトウェアの能力でさらに制限的な電子またはモバイルデバイスでは、さらに大きく現れる。また、典型的な電子またはモバイルデバイスは、システム仕様が低仕様であるため、そのような機器は、プリンタで提供するプリンタドライバを設置して使えない。それだけでなく、プリンタドライバが電子またはモバイル機器に設置されるとしても、そのようなプリンタドライバは、特定形態のプリンタに従属的である。その結果、もし、他の形態のプリンタが使われれば、ユーザが所望のパターンによって、そのような個人管理情報は、依然として印刷できない。しかし、そのような電子デバイスまたはモバイルデバイスは、実際に多様な形態のプリンタドライバを含めない。
【課題を解決するための手段】
【０００６】
本発明のいくつかの観点と例示する実施形態は、ＸＨＴＭＬ−Ｐｒｉｎｔデータのように、スタイルを指定できるマークアップ言語を使用して、ユーザが容易に個人管理情報を出力可能にする個人管理情報の出力方法およびシステムを提供する。
【０００７】
本発明のさらなる観点および／または効果は、その一部が以下に記述され、以下の記述から明らかとなり、または本発明の実行によって確認されるであろう。
【０００８】
前記課題を達成するために、本発明による個人管理情報の出力方法は、個人管理情報の出力に対するレイアウトを規定するＸＨＴＭＬ−Ｐｒｉｎｔテンプレートを使用して、前記個人管理情報のＸＨＴＭＬ−Ｐｒｉｎｔデータを生成して画像形成装置に伝送するステップと、伝送されたＸＨＴＭＬ−Ｐｒｉｎｔデータを解釈して前記個人管理情報を出力するステップと、を含むことを特徴とする。
【０００９】
前記個人管理情報の出力方法は、前記個人管理情報についての設定情報を入力されるステップと、前記入力された設定情報に対応するＸＨＴＭＬ−Ｐｒｉｎｔテンプレートが選択され、前記入力された設定情報が反映されたＸＨＴＭＬ−Ｐｒｉｎｔデータを生成するステップと、前記生成されたＸＨＴＭＬ−Ｐｒｉｎｔデータを前記画像形成装置に伝送する前に、前記入力された設定情報が反映されたＸＨＴＭＬ−Ｐｒｉｎｔデータを生成するステップと、をさらに含むことを特徴とする。
【００１０】
前記個人管理情報は、日程表情報、住所録情報、作業目録情報および名刺情報のうち少なくとも一つ以上の情報を含むことを特徴とし、前記設定される日程表情報は、日付情報、優先順位指定による識別情報およびユーザが入力した日程内容を含み、前記識別情報は、色相、フォントの種類、フォントのサイズ、陰影およびアンダーラインのうち何れか一つ以上を含むことを特徴とする。
【００１１】
前記個人管理情報の出力方法は、前記個人管理情報のうち、前記日程表情報が選択されるステップと、前記選択された日程表情報のうち、一般優先順位指定が選択されるか否かを検査するステップと、前記一般優先順位指定が選択されるとき、前記一般優先順位指定による新たな識別情報の設定が要求されるか否かを検査するステップと、
前記新たな識別情報の設定が要求されるとき、前記一般優先順位についての新たな識別情報を設定するステップと、前記選択および設定された情報を前記個人管理情報の設定情報として保存するステップと、をさらに含むことを特徴とする。
【００１２】
前記個人管理情報の出力方法は、前記個人管理情報のうち、前記日程表情報が選択されるステップと、前記選択された日程表情報のうち、日程内容別に分類された内容別優先順位指定が選択されるか否かを検査するステップと、前記内容別優先順位指定が選択されるとき、内容別優先順位に対する特定項目が選択されるステップと、前記内容別優先順位指定による新たな識別情報の設定が要求されるか否かを検査するステップと、前記新たな識別情報の設定が要求されるとき、前記内容別優先順位についての新たな識別情報を設定するステップと、前記選択および設定された情報を前記個人管理情報の設定情報として保存するステップと、を含むことを特徴とする。
【００１３】
前記設定される住所録情報は、住所録のフィールド別識別情報、住所録のレコード別識別情報、住所録のフィールドおよびレコード別識別情報を含むことを特徴とする。
【００１４】
前記住所録のフィールド別識別情報、前記住所録のレコード別識別情報、前記住所録のフィールドおよびレコード別識別情報は、色相、フォントの種類、フォントのサイズ、陰影およびアンダーラインのうち何れか一つ以上を含むことを特徴とする。
【００１５】
前記個人管理情報の出力方法は、前記個人管理情報のうち、前記住所録情報が選択されるステップと、前記選択された住所録情報のうち、フィールド別設定が選択されるか否かを検査するステップと、前記フィールド別設定が選択されれば、特定フィールドが選択されるステップと、前記特定フィールドについての新たな識別情報の設定が要求されるか否かを検査するステップと、前記新たな識別情報の設定が要求されるとき、前記フィールド別識別情報を設定するステップと、前記選択および設定された情報を前記個人管理情報の設定情報として保存するステップと、を含むことを特徴とする。
【００１６】
前記個人管理情報の出力方法は、前記個人管理情報のうち、前記住所録情報が選択されるステップと、前記選択された住所録情報のうち、レコード別設定が選択されるかを検査するステップと、前記レコード別設定が選択されれば、特定レコードが選択されるステップと、前記特定レコードについての新たな識別情報の設定が要求されるか否かを検査するステップと、前記新たな識別情報の設定が要求されるとき、前記レコード別識別情報を設定するステップと、前記選択および設定された情報を前記個人管理情報の設定情報として保存するステップと、を含むことを特徴とする。
【００１７】
前記ＸＨＴＭＬ−Ｐｒｉｎｔデータを生成するステップは、イメージの挿入された個人管理情報が出力されるように、前記ＸＨＴＭＬ−Ｐｒｉｎｔデータを生成するか、または名刺情報に前記イメージが出力されるように、前記ＸＨＴＭＬ−Ｐｒｉｎｔデータを生成することを含むことを特徴とする。
【００１８】
前記他の課題を達成するために、本発明による個人管理情報出力システムは、個人管理情報の出力に対するレイアウトを規定するＸＨＴＭＬ−Ｐｒｉｎｔテンプレートを使用して、前記個人管理情報のＸＨＴＭＬ−Ｐｒｉｎｔテンプレートを使用し、伝送リンクを経てＸＨＴＭＬ−Ｐｒｉｎｔデータを伝送する電子デバイスと、前記伝送リンクを通じて前記電子デバイスから伝送された前記ＸＨＴＭＬ−Ｐｒｉｎｔデータを受信して、前記個人管理情報を印刷する画像形成装置と、を備えることを特徴とする。
【００１９】
前記電子デバイスは、前記個人管理情報に対する多様なレイアウトに対応するＸＨＴＭＬ−Ｐｒｉｎｔテンプレート情報を保存するＸＨＴＭＬ−Ｐｒｉｎｔテンプレート情報保存部と、前記個人管理情報についての設定情報を入力されるユーザインターフェース部と、前記入力された設定情報を保存する設定情報保存部と、前記保存された設定情報に対応するＸＨＴＭＬ−Ｐｒｉｎｔテンプレートを検出し、前記入力された設定情報が反映されたＸＨＴＭＬ−Ｐｒｉｎｔデータを生成するＸＨＴＭＬ−Ｐｒｉｎｔデータ生成部と、前記生成されたＸＨＴＭＬ−Ｐｒｉｎｔデータを、伝送リンクを通じて前記画像形成装置に伝送するデータ伝送部と、を備えることを特徴とする。
【００２０】
前記個人管理情報出力システムは、前記個人管理情報に挿入される多様なイメージを保存する挿入イメージ保存部をさらに備え、前記ＸＨＴＭＬ−Ｐｒｉｎｔデータ生成部は、前記イメージ保存部に保存されたイメージが挿入された個人管理情報が出力されるように、前記ＸＨＴＭＬ−Ｐｒｉｎｔデータを生成することを特徴とする。
【００２１】
前記画像形成装置は、前記デバイスから伝送された前記ＸＨＴＭＬ−Ｐｒｉｎｔデータを解釈するインタープリタと、前記解釈されたＸＨＴＭＬ−Ｐｒｉｎｔデータを印刷する印刷エンジン部と、を備えることを特徴とする。
【発明の効果】
【００２２】
本発明によれば、ＸＨＴＭＬ−Ｐｒｉｎｔデータのように、スタイルを指定できるマークアップ言語を使用して、モバイルデバイスでユーザが容易に個人管理情報を編集して出力しうる。すなわち、ユーザが本発明で例示された日程表情報、住所録情報、作業目録情報および個人名刺などの個人管理情報を特別の優先順位やフィールド別に分類することによって、個人管理情報の特定項目を、他の項目に比べて、さらに容易に区分できるように出力しうる。
【発明を実施するための最良の形態】
【００２３】
以下、本発明による個人管理情報の出力方法を、添付された図面を参照して詳細に説明する。
【００２４】
図１は、本発明の一実施形態による個人管理情報の出力方法を説明するためのフローチャートである。本発明の一実施形態によれば、電子デバイスまたはモバイルデバイスは、モバイルフォン、ＰＤＡ（Ｐｅｒｓｏｎａｌ  Ｄｉｇｉｔａｌ  Ａｓｓｉｔａｎｔ）、またはポータブルデバイスを備える。画像形成装置は、コンパクトフォトプリンタまたは画像プリンタを備える。
【００２５】
図１を参照すれば、個人管理情報のＸＨＴＭＬ−Ｐｒｉｎｔデータを生成するためにモバイルデバイスでレイアウトを提供するＸＨＴＭＬ−Ｐｒｉｎｔテンプレートが使われ、前記生成されたＸＨＴＭＬ−Ｐｒｉｎｔデータを画像形成装置に伝送する（ステップ１０）。
【００２６】
図２は、図１に示されたステップ１０を説明するための一実施形態のフローチャートである。まず、個人管理情報についての設定情報を入力される（ステップ２０）。個人管理情報は、日程表情報、住所録情報、作業目録情報および名刺情報のうち少なくとも一つ以上の情報を含む。日程表情報は、個人の日常生活についての日程を区分しやすく図表で表示したものであって、住所録情報は、個人のアドレスおよび電話番号などの情報を意味し、作業目録情報は、個人が行う作業の内容および日付についての情報を意味する。前述した日程表情報、住所録情報および作業目録情報は、個人管理情報の一例に過ぎず、多様な個人管理情報が規定されうる。入力された設定情報が反映されたＸＨＴＭＬ−Ｐｒｉｎｔデータは、ＸＨＴＭＬ−Ｐｒｉｎｔテンプレートを使用して生成される（ステップ２２）。次いで、前記生成されたＸＨＴＭＬ−Ｐｒｉｎｔデータは、伝送リンク（図示せず）を経てプリンタのような画像形成装置に伝送される（ステップ２４）。
【００２７】
図３は、図２に示されたステップ２０を説明するための一実施形態のフローチャートである。まず、個人管理情報のうち、日程表情報が選択される（ステップ３０）。ステップ３０後に、選択された日程表情報のうち、一般優先順位指定が選択されるか否かを検査する（ステップ３１）。一般優先順位指定は、重要度の高い日程に対して単純に優先順位を指定することを意味する。もし、一般優先順位指定が選択されなかったとすれば、後述するステップ３４に進む。
【００２８】
しかし、一般優先順位指定が選択されたとすれば、一般優先順位指定による新たな識別情報の設定が要求されるか否かを検査する（ステップ３２）。優先順位指定による識別情報は、日程表上で重要度の高い日程に対して他の日程と区別するために設定される識別情報を意味する。もし、新たな識別情報の設定が要求されなければ、後述するステップ３４に進む。
【００２９】
しかし、新たな識別情報の設定が要求されれば、一般優先順位に対する新たな識別情報を設定する（ステップ３３）。ステップ３３後に、選択および設定された情報を個人管理情報の設定情報として保存する（ステップ３４）。保存された設定情報は、ＸＨＴＭＬ−Ｐｒｉｎｔデータの生成に使われる。
【００３０】
図４は、図２に示されたステップ２０を説明するための他の一実施形態のフローチャートである。まず、個人管理情報のうち、日程表情報が選択される（ステップ４０）。ステップ４０後に、選択された日程表情報のうち、内容別優先順位指定が選択されるか否かを検査する（ステップ４１）。内容別優先順位指定は、日程内容別に優先順位を指定することを意味する。もし、内容別優先順位指定が選択されなかったとすれば、後述するステップ４５に進む。
【００３１】
しかし、内容別優先順位指定が選択されたとすれば、内容別優先順位に対する特定項目が選択される（ステップ４２）。ステップ４２後に、内容別優先順位指定による新たな識別情報の設定が要求されるか否かを検査する（ステップ４３）。優先順位指定による新たな識別情報は、日程表上で重要度の高い日程に対して他の日程と区別するために設定される識別情報を意味する。もし、新たな識別情報の設定が要求されなければ、後述するステップ４５に進む。
【００３２】
しかし、新たな識別情報の設定が要求されれば、内容別優先順位についての新たな識別情報を設定する（ステップ４４）。ステップ４４後に、選択および設定された情報を個人管理情報の設定情報として保存する（ステップ４５）。保存された設定情報は、ＸＨＴＭＬ−Ｐｒｉｎｔデータの生成に使われる。
【００３３】
図５は、図２に示されたステップ２０を説明するためのさらに他の一実施形態のフローチャートである。まず、個人管理情報のうち、住所録情報が選択される（ステップ５０）。ステップ５０後に、選択された住所録情報のうち、フィールド別設定が選択されるか否かを検査する（ステップ５１）。もし、フィールド別設定が選択されなかったとすれば、後述するステップ５５に進む。
【００３４】
しかし、フィールド別設定が選択されたとすれば、特定フィールドが選択される（ステップ５２）。ステップ５２後に、特定フィールドについての新たな識別情報の設定が要求されるか否かを検査する（ステップ５３）。もし、新たな識別情報の設定が要求されなければ、後述するステップ５５に進む。
【００３５】
しかし、新たな識別情報の設定が要求されれば、新たなフィールド別識別情報を設定する（ステップ５４）。ステップ５４後に、選択および設定された情報を個人管理情報の設定情報として保存する（ステップ５５）。保存された設定情報は、ＸＨＴＭＬ−Ｐｒｉｎｔデータの生成に使われる。
【００３６】
図６は、図２に示されたステップ２０を説明するためのさらに他の一実施形態のフローチャートである。まず、個人管理情報のうち、住所録情報が選択される（ステップ６０）。ステップ６０後に、選択された住所録情報のうち、レコード別設定が選択されるか否かを検査する（ステップ６１）。もし、レコード別設定が選択されなかったとすれば、後述するステップ６５に進む。
【００３７】
しかし、レコード別設定が選択されたとすれば、特定レコードが選択される（ステップ６２）。ステップ６２後に、特定レコードについての新たな識別情報の設定が要求されるか否かを検査する（ステップ６３）。もし、新たな識別情報の設定が要求されなければ、後述するステップ６５に進む。
【００３８】
しかし、新たな識別情報の設定が要求されれば、新たなレコード別識別情報を設定する（ステップ６４）。ステップ６４後に、選択および設定された情報を個人管理情報の設定情報として保存する（ステップ６５）。保存された設定情報は、ＸＨＴＭＬ−Ｐｒｉｎｔデータの生成に使われる。
【００３９】
図７は、個人管理情報の出力のための対話ウィンドーの例を示す図面である。図７に示されたように、個人管理情報として日程表情報、住所録情報および作業目録情報が例示されている。また、個人管理情報として、名刺情報を含む。設定される日程表情報は、日情報、優先順位指定による識別情報およびユーザが入力した日程内容を含む。日付情報は、それぞれの日程についての日付を意味し、優先順位指定による識別情報は、日程表上で重要度の高い日程に対して、他の日程と区別するために設定される識別情報を意味する。このとき、識別情報は、色相、フォントの種類、フォントのサイズ、陰影およびアンダーラインのうち何れか一つ以上を含む。すなわち、色相、フォントの種類、アンダーラインで優先順位に該当する日程を他の日程と異なって設定することによって、日程表が出力されたとき、優先順位の高い日程を容易に認識しうる。
【００４０】
優先順位指定は、一般優先順位指定と内容別優先順位指定とに区分しうる。一般優先順位指定は、重要度の高い日程に対して単純に優先順位を指定することを意味し、内容別優先順位指定は、日程内容別に優先順位を指定することを意味する。
【００４１】
図８Ａ〜図８Ｃは、日程表情報を設定するための対話ウィンドーの一例を示す図面である。図８Ａは、優先順位指定のための対話ウィンドーの一例を示し、図８Ｂは、図８Ａで一般優先順位指定を選択した時の優先順位指定による識別情報（例えば、色相）設定のための対話ウィンドーの一例を示し、図８Ｃは、日程についての具体的な内容および日付を入力するための対話ウィンドーの一例を示す。図８Ｂで、優先順位の日程を他の日程と区別するための識別情報として色相についての情報のみが提示されたが、色相以外にも、フォントの種類、フォントのサイズ、陰影およびアンダーラインなどの識別情報が提示される。図８Ｂでは、識別情報として“基本値”が設定されている。基本値は、ユーザがデフォルト値に設定しておいた識別情報であるか、または以前に設定されていた識別情報である。図８Ｂの“その他”項目は、ディスプレイされた色相以外の色相についての情報を有する項目である。図８Ａ〜図８Ｃの対話ウィンドーを通じて、個人管理情報のうち日程表についての設定情報を設定しうる。
【００４２】
図９Ａ〜図９Ｄは、日程表情報を設定するための対話ウィンドーの他の一例を示す図面である。図９Ａは、優先順位指定のための対話ウィンドーの一例を示し、図９Ｂは、図９Ａで内容別優先順位指定を選択した時の優先順位指定のための内容別分類目録の対話ウィンドーを示す。図９Ｃは、図９Ｂで内容別分類目録のうち何れか一つを選択したとき、選択された分類目録についての識別情報（例えば、色相）設定のための対話ウィンドーの一例を示し、図９Ｄは、日程についての具体的な内容および日付を入力するための対話ウィンドーの一例を示す。図９Ａ〜図９Ｄの対話ウィンドーを通じて、個人管理情報のうち、日程表についての設定情報を設定しうる。
【００４３】
一方、設定される住所録情報は、住所録のフィールド別識別情報、住所録のレコード別識別情報、住所録のフィールドおよびレコード別識別情報を含む。フィールド別識別情報は、例えば、住所録の内容に該当する名前、アドレスおよび電話番号をカテゴリ別に区分したとき、このような特定カテゴリ（例えば、名前）を他のカテゴリと区別させるための識別情報を意味する。レコード別識別情報は、住所録の内容のうち、一人についての住所録情報を他の人の住所録情報と区別させるための識別情報を意味する。フィールドおよびレコード別識別情報は、住所録情報のうち特定情報、例えば、特定の人の電話番号のみを他の住所録情報と区別させるための識別情報を意味する。
【００４４】
前述した住所録のフィールド別識別情報、住所録のレコード別識別情報、住所録のフィールドおよびレコード別識別情報は、色相、フォントの種類、フォントのサイズ、陰影およびアンダーラインのうち何れか一つ以上で設定されうる。
【００４５】
図１０Ａ〜図１０Ｃは、住所録情報を設定するための対話ウィンドーの一例を示す図面である。図１０Ａは、フィールド別識別情報、住所録の対象別識別情報または住所録のフィールドおよび対象別識別情報を設定するための対話ウィンドーの一例を示し、図１０Ｂは、図１０Ａでフィールド別識別情報を設定した時の住所録のフィールドのうち何れか一つを設定するための対話ウィンドーの一例を示し、図１０Ｃは、フィールド別識別情報（例えば、色相）設定のための対話ウィンドーの一例を示す。図１０Ｃで、住所録のフィールドを他のフィールドと区別するための識別情報として、色相についての情報のみが提示されたが、色相以外にも、フォントの種類、フォントのサイズ、陰影およびアンダーラインなどの識別情報が提示されうる。
【００４６】
図１１Ａおよび図１１Ｂは、住所録情報を設定するための対話ウィンドーの他の一例を示す図面である。図１１Ａは、図１０Ａでフィールドおよびレコード別識別情報を設定したとき、特定人についての住所録情報のうち、特定住所録情報（例えば、電話番号）を設定するための対話ウィンドーの一例を示し、図１１Ｂは、特定住所録情報を他の住所録情報と区別するために設定されねばならない識別情報（例えば、色相）の対話ウィンドーの一例を示す。図１１Ｂで、識別情報として色相についての情報のみが提示されたが、色相以外にも、フォントの種類、フォントのサイズ、陰影およびアンダーラインなどの識別情報が提示されうる。
【００４７】
再び図２を参照し、ステップ２０後に、入力された設定情報に対応するＸＨＴＭＬ−Ｐｒｉｎｔテンプレートを検出して、入力された設定情報が反映されたＸＨＴＭＬ−Ｐｒｉｎｔデータを生成する（ステップ２２）。設定情報のそれぞれに対応するＸＨＴＭＬ−Ｐｒｉｎｔテンプレートは、予め保存されている。このように保存されたＸＨＴＭＬ−Ｐｒｉｎｔテンプレートのうち、ステップ２０で入力された設定情報に対応するＸＨＴＭＬ−Ｐｒｉｎｔテンプレートを検出する。検出されたＸＨＴＭＬ−Ｐｒｉｎｔテンプレート内の設定情報の内容を代替して、設定情報が反映されたＸＨＴＭＬ−Ｐｒｉｎｔデータを生成する。
【００４８】
特に、ＸＨＴＭＬ−Ｐｒｉｎｔデータを生成するステップは、イメージの挿入された個人管理情報が出力されるようにＸＨＴＭＬ−Ｐｒｉｎｔデータを生成することを特徴とする。このために、予め挿入されるイメージについての情報が備えられている。
【００４９】
図１２Ａ〜図１２Ｃは、検出されたＸＨＴＭＬ−Ｐｒｉｎｔテンプレートを使用して生成されたＸＨＴＭＬ−Ｐｒｉｎｔデータ１２０およびそれによる出力結果の一例を示す図面である。図１２Ａは、個人管理情報のうち、日程表情報についての設定情報によってＸＨＴＭＬ−Ｐｒｉｎｔデータが生成されたことを表す。設定情報のうち、２月１５日に日程表上他の日程と識別されるように青色で出力することを設定した場合に、これに対応するＸＨＴＭＬ−Ｐｒｉｎｔデータが生成される。図１２Ａを説明すれば、ＸＨＴＭＬ−Ｐｒｉｎｔデータの“ｈｅａｄ”部分のうち、“ＳｐｅｃｉａｌＳｃｈｅｄｕｌｅ”に該当する部分に、識別情報として“ｂｌｕｅ”の色相が記載されていることが確認でき、ＸＨＴＭＬ−Ｐｒｉｎｔデータの“ｂｏｄｙ”部分中の“ＳｐｅｃｉａｌＳｃｈｅｄｕｌｅ”に該当する部分に記念日情報として入力された“Ｍｙｗｉｆｅ’ｓ  Ｂｉｒｔｈｄａｙ”が記載されていることが確認できる。
【００５０】
図１２Ｂは、他のＸＨＴＭＬ−Ｐｒｉｎｔテンプレートを使用して生成されたＸＨＴＭＬ−Ｐｒｉｎｔデータ１２０の一例を示した図面である。図１２Ｃは、図１２Ａまたは図１２ＢのＸＨＴＭＬ−Ｐｒｉｎｔデータが画像形成装置で解釈されて実際に出力された時の日程表１２２を例示した図面であって、ＸＨＴＭＬ−Ｐｒｉｎｔデータに記載された“ｂｌｕｅ”によって記念日の内容に該当する“Ｍｙｗｉｆｅ’ｓ  Ｂｉｒｔｈｄａｙ”が青色で出力されたことが確認できる。
【００５１】
図１３Ａ〜図１３Ｃは、検出されたＸＨＴＭＬ−Ｐｒｉｎｔテンプレートを使用して生成されたＸＨＴＭＬ−Ｐｒｉｎｔデータおよびそれによる出力結果のさらに他の一例を示す図面である。検出されたＸＨＴＭＬ−Ｐｒｉｎｔテンプレートは、４＊６のレイアウト形態で個人管理情報を出力させるためのテンプレートである。図１３Ａは、個人管理情報のうち、住所録情報がフィールド別に識別されるように設定された設定情報によって、ＸＨＴＭＬ−Ｐｒｉｎｔデータ１３０が生成されたことを示す。フィールド別識別情報のうち、“名前”に対して青色で出力されるように設定された場合に、これに対応するＸＨＴＭＬ−Ｐｒｉｎｔデータが生成される。図１３Ｂは、他のＸＨＴＭＬ−Ｐｒｉｎｔテンプレートを使用して生成されたＸＨＴＭＬ−Ｐｒｉｎｔデータ１３０の一例を示す図面である。図１３Ｃは、図１３Ａまたは図１３ＢのＸＨＴＭＬ−Ｐｒｉｎｔデータが画像形成装置で解釈されて実際に出力された時の住所録情報を例示した対話ボックス１３２の図面であって、設定情報で“名前”に対して他のフィールドと識別されるように青色が出力されることによって、ユーザは、住所録情報でどんな名前が管理されるかを容易に把握しうる。
【００５２】
図１４Ａ〜図１４Ｃは、検出されたＸＨＴＭＬ−Ｐｒｉｎｔテンプレートを使用して生成されたＸＨＴＭＬ−Ｐｒｉｎｔデータおよびそれによる出力結果のさらに他の一例を示す図面である。検出されたＸＨＴＭＬ−Ｐｒｉｎｔテンプレートは、６＊４のレイアウト形態で個人管理情報を出力させるためのテンプレートである。図１４Ａは、フィールドによって識別される個人管理情報の住所録情報のために設定された情報によって生成されたＸＨＴＭＬ−Ｐｒｉｎｔデータ１４０の例を示す図面である。図１４Ｂは、ＸＨＴＭＬ−Ｐｒｉｎｔテンプレートを利用して生成されたＸＨＴＭＬ−Ｐｒｉｎｔデータ１４０の例を示す図面である。図１４Ｃは、図１４Ａまたは図１４Ｂに示されたように、ＸＨＴＭＬ−Ｐｒｉｎｔデータ１４０が解釈されて画像形成装置によって印刷されるとき、住所録情報を含む対話ボックス１４２の例を示す図面である。図１４Ａ〜図１４Ｃは、前述した図１３Ａ〜図１３Ｃの内容と同じであるので、ここで説明を省略する。
【００５３】
図１５は、ＸＨＴＭＬ−Ｐｒｉｎｔデータを解釈して出力した個人管理情報のさらに他の一例を示す図面である。図１５は、住所録情報がレコード別に識別されるように設定された設定情報によって生成されたＸＨＴＭＬ−Ｐｒｉｎｔデータを解釈して出力した結果１５０である。例えば、“Ｊｏｈｎ”という対象についての住所録情報、すなわち、住所、家の電話番号、携帯電話の電話番号、電子メールアドレスなどの情報を他のレコードの住所録情報と識別するために青色で出力することによって、ユーザは、住所録情報で特定対象についての情報を他の対象に比べて容易に把握しうる。
【００５４】
図１６は、ＸＨＴＭＬ−Ｐｒｉｎｔデータを解釈して出力した個人管理情報のさらに他の一例を示す図面である。図１６は、住所録情報のうち、特定レコードの特定情報を他の住所録情報と識別させるためのＸＨＴＭＬ−Ｐｒｉｎｔデータを解釈して出力した結果１６０である。例えば、“Ｊｏｈｎ”というレコードについての住所録情報のうち、電子メールアドレスのみを他のレコードの住所録情報と識別するために青色で出力することによって、ユーザは、住所録情報のうち、特定レコードについての特定情報を他のレコードに比べて容易に把握しうる。
【００５５】
図１７Ａ〜図１７Ｃは、検出されたＸＨＴＭＬ−Ｐｒｉｎｔテンプレートを使用して生成されたＸＨＴＭＬ−Ｐｒｉｎｔデータおよびそれによる出力結果のさらに他の一例を示す図面である。図１７Ａは、個人管理情報のうち作業目録情報を出力させるためのＸＨＴＭＬ−Ｐｒｉｎｔデータ１７０の一例を示す図面であり、図１７Ｂは、他のＸＨＴＭＬ−Ｐｒｉｎｔテンプレートを使用して生成されたＸＨＴＭＬ−Ｐｒｉｎｔデータ１７０の一例を示す図面である。図１７Ｃは、図１７Ａまたは図１７ＢのＸＨＴＭＬ−Ｐｒｉｎｔデータが画像形成装置で解釈されて実際に出力された時の作業目録情報を例示した対話ボックス１７２の図面である。青色で出力された作業目録を確認することによって、優先的に処理せねばならない作業を容易に認識しうる。
【００５６】
再び図２を参照し、ステップ２２後に、生成されたＸＨＴＭＬ−Ｐｒｉｎｔデータを画像形成装置に伝送する（ステップ２４）。モバイルデバイスとネットワークで連結された画像形成装置にＸＨＴＭＬ−Ｐｒｉｎｔデータを伝送する。
【００５７】
再び図１を参照し、一方、ステップ１０後に、伝送されたＸＨＴＭＬ−Ｐｒｉｎｔデータを解釈して個人管理情報を出力する（ステップ１２）。画像形成装置は、モバイルデバイスから個人管理情報についてのＸＨＴＭＬ−Ｐｒｉｎｔデータを受信し、該受信されたＸＨＴＭＬ−Ｐｒｉｎｔデータを解釈し、該解釈された結果を印刷エンジンを通じて出力する。
【００５８】
一方、前述した本発明の方法発明は、コンピュータで読み取り可能なコード／命令／プログラムで具現でき、媒体、例えば、コンピュータで読み取り可能な記録媒体を利用して、前記コード／命令／プログラムを動作させる汎用デジタルコンピュータで具現されうる。
【００５９】
前記コンピュータで読み取り可能な記録媒体は、マグネチック保存媒体（例えば、ＲＯＭ（Ｒｅａｄ  Ｏｎｌｙ  Ｍｅｍｏｒｙ）、フロッピー（登録商標）ディスク、ハードディスク、マグネチックテープなど）、光学的判読媒体（例えば、ＣＤ−ＲＯＭ、ＤＶＤなど）およびキャリアウェーブ（例えば、インターネットを通じた伝送）のような保存媒体を含む。また、本発明の実施形態は、コンピュータ可読コードを内蔵する媒体でもって具現され、ネットワークを通じて連結された多数のコンピュータシステムが分配されて処理動作可能にしうる。本発明を実現する機能的なプログラム、コードおよびコードセグメントは、本発明の属する技術分野のプログラマーによって容易に推論されうる。
【００６０】
以下、本発明による個人管理情報出力システムを、添付された図面を参照して詳細に説明する。図１８は、本発明による個人管理情報出力システムを説明するための一実施形態のブロック図であって、デバイス１８０および画像形成装置２００で構成される。
【００６１】
デバイス１８０は、個人管理情報の出力に対するレイアウトを規定するＸＨＴＭＬ−Ｐｒｉｎｔテンプレートを使用して、個人管理情報のＸＨＴＭＬ−Ｐｒｉｎｔデータを生成し、該生成されたＸＨＴＭＬ−Ｐｒｉｎｔデータを画像形成装置２００に出力する。
【００６２】
デバイス１８０は、個人管理情報のＸＨＴＭＬ−Ｐｒｉｎｔデータを生成するために、ユーザインターフェース部１８２、設定情報保存部１８４、ＸＨＴＭＬ−Ｐｒｉｎｔテンプレート情報保存部１８６、挿入イメージ保存部１８８、ＸＨＴＭＬ−Ｐｒｉｎｔデータ生成部１９０およびデータ伝送部１９２で構成される。
【００６３】
ユーザインターフェース部１８２は、個人管理情報についての設定情報を入力される。ユーザインターフェース部１８２は、図７〜図１１に示された対話ウィンドーをディスプレーし、該ディスプレイされた対話ウィンドーを通じて個人管理情報についての設定情報を入力される。
【００６４】
個人管理情報は、日程表情報、住所録情報、作業目録情報および名刺情報のうち少なくとも一つ以上の情報を含むことを特徴とする。保存される日程表情報は、日付情報、優先順位指定による識別情報およびユーザが入力した日程内容を含む。優先順位指定は、一般優先順位によって指定されるか、または日程内容別に分類された優先順位によって指定されることを特徴とする。識別情報は、色相、フォントの種類、フォントのサイズ、陰影およびアンダーラインのうち何れか一つ以上を含む。保存される住所録情報は、住所録のフィールド別識別情報、住所録のレコード別識別情報および住所録のフィールド並びにレコード別識別情報を含む。住所録のフィールド別識別情報、住所録のレコード別識別情報および住所録のフィールド並びにレコード別識別情報は、色相、フォントの種類、フォントのサイズ、陰影およびアンダーラインのうち何れか一つ以上を含む。個人管理情報についての詳細な説明は、前述した方法発明で説明した通りであるので、以下では説明を省略する。
【００６５】
設定情報保存部１８４は、ユーザインターフェース部１８２から入力された設定情報を保存し、ＸＨＴＭＬ−Ｐｒｉｎｔデータ生成部１９０の要請によってＸＨＴＭＬ−Ｐｒｉｎｔデータ生成部１９０に出力する。
【００６６】
ＸＨＴＭＬ−Ｐｒｉｎｔテンプレート情報保存部１８６は、個人管理情報に対する多様なレイアウトに対応するＸＨＴＭＬ−Ｐｒｉｎｔテンプレートを保存する。ＸＨＴＭＬ−Ｐｒｉｎｔテンプレート情報保存部１８６は、ＸＨＴＭＬ−Ｐｒｉｎｔデータ生成部１９０の要請によって、設定情報に対応するＸＨＴＭＬ−ＰｒｉｎｔテンプレートをＸＨＴＭＬ−Ｐｒｉｎｔデータ生成部１９０に出力する。
【００６７】
挿入イメージ保存部１８８は、個人管理情報に挿入される多様なイメージを保存しており、ＸＨＴＭＬ−Ｐｒｉｎｔデータ生成部１９０の要請によって、個人管理情報に挿入されるイメージをＸＨＴＭＬ−Ｐｒｉｎｔデータ生成部１９０に出力する。
【００６８】
ＸＨＴＭＬ−Ｐｒｉｎｔデータ生成部１９０は、設定情報保存部１８４に保存された設定情報に対応するＸＨＴＭＬ−ＰｒｉｎｔテンプレートをＸＨＴＭＬ−Ｐｒｉｎｔテンプレート情報保存部１８６から検出し、該検出されたＸＨＴＭＬ−Ｐｒｉｎｔテンプレートに設定情報を反映して、ＸＨＴＭＬ−Ｐｒｉｎｔデータを生成する。生成されたＸＨＴＭＬ−Ｐｒｉｎｔデータは、データ伝送部１９２に出力される。ＸＨＴＭＬ−Ｐｒｉｎｔデータ生成部１９０は、挿入イメージ保存部１８８に保存されたイメージのうち、個人管理情報に挿入されるイメージを検出し、該検出された挿入イメージを出力させるＸＨＴＭＬ−Ｐｒｉｎｔデータを生成する。
【００６９】
データ伝送部１９２は、生成されたＸＨＴＭＬ−Ｐｒｉｎｔデータを伝送リンクを経て画像形成装置２００に伝送する。伝送リンクは、現存する連結標準を使用し、無線ソリューションのためにブルーツース、赤外線、Ｗｉ−Ｆｉを含み、有線ソリューションとしてピクトブリッジを含み、メモリカードからの直接印刷も含む。
【００７０】
画像形成装置２００は、デバイス１８０から伝送されたＸＨＴＭＬ−Ｐｒｉｎｔデータを解釈して個人管理情報を出力する。このために、画像形成装置２００は、データ受信部２１０、インタープリタ２２０および印刷エンジン部２３０で構成される。
【００７１】
データ受信部２１０は、デバイス１８０から伝送されたＸＨＴＭＬ−Ｐｒｉｎｔデータを受信してインタープリタ２２０に出力する。インタープリタ２２０は、受信されたＸＨＴＭＬ−Ｐｒｉｎｔデータを解釈し、該解釈した結果を印刷エンジン部２３０に出力する。印刷エンジン部２３０は、解釈されたＸＨＴＭＬ−Ｐｒｉｎｔデータを印刷する。
【００７２】
図１８に示したように、モバイルデバイス１８０と画像形成装置２００との多様な構成要素は、単一制御部に集積することもでき、また、ソフトウェア、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなハードウェアにも具現しうる。例えば、設定情報保存部１８４、ＸＨＴＭＬ−Ｐｒｉｎｔテンプレート保存部１８６、モバイルデバイス１８０の挿入イメージ保存部１８８は、単一保存部で具現されうる。前記ＸＨＴＭＬ−Ｐｒｉｎｔデータ生成器は、単一制御部に集積され、モバイルデバイスの運用体制（ＯＳ：Ｏｐｅｒａｔｉｎｇ  Ｓｙｓｔｅｍ）の機能として具現されうる。同様に、インタープリタ２２０は、画像形成装置２００の運用体制に集積されうる。ここで、記述されたプロセスは、ソフトウェア、ハードウェア、またはこれらの結合によって均等に行われると広く解釈されうる。前述したように、ソフトウェアモジュールは、多様なソフトウェア言語、例えば、Ｃ、Ｃ＋＋、Ｊａｖａ（登録商標）、Ｖｉｓｕａｌ  Ｂａｓｉｃおよびその他の言語で記述されうる。前記ソフトウェアモジュールは、データおよび命令語を含み、これらは、一つ以上の読み取り可能な記録媒体（例：ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  ＲＡＭ）、ＥＰＲＯＭ（Ｅｒａｓａｂｌｅ  ａｎｄ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、フラッシュメモリ、マグネチックディスク、光メディア）に保存されうる。ソフトウェアルーチンやモジュールの命令語は、無線ネットワーク上の無線カードまたはコンピュータ機器に多様な方法で積載または伝送されうる。例えば、コードセグメントは、システムに積載され、それに相応するソフトウェアルーチンやモジュールとして実行されうる。積載や伝送過程で、データ信号は、コードセグメントをネットワークノードやエレメントに通信しうる。そのような搬送波は、電気、光、音響、電磁気または他の形態の信号となりうる。
0
【００７３】
前記の本願発明である個人管理情報の出力方法およびシステムは、理解を助けるために図面に示された実施形態を参照して説明されたが、これは、例示的なものに過ぎず、当業者ならば、これから多様な変形および均等な他の実施形態が可能であるということが分かるであろう。したがって、本発明の真の技術的保護範囲は、特許請求の範囲によって決定されねばならない。
【図面の簡単な説明】
【００７４】
【図１】本発明による個人管理情報の印刷方法を説明するための一実施形態のフローチャートである。
【図２】本発明の一実施形態によってＸＨＴＭＬ−Ｐｒｉｎｔデータを生成し、前記生成されたＸＨＴＭＬ−Ｐｒｉｎｔデータを画像形成装置に伝送する過程を説明するフローチャートである。
【図３】本発明の一実施形態によって個人管理情報の設定情報を受信する過程を説明するフローチャートである。
【図４】本発明の一実施形態によって個人管理情報の設定情報を受信する過程を説明するフローチャートである。
【図５】本発明の一実施形態によって個人管理情報の設定情報を受信する過程を説明するフローチャートである。
【図６】本発明の一実施形態によって個人管理情報の設定情報を受信する過程を説明するフローチャートである。
【図７】本発明の一実施形態によって個人管理情報を印刷するための対話ウィンドーの一例を示す図面である。
【図８Ａ】本発明の一実施形態によって日程表情報を設定するための対話ウィンドーの一例を示す図面である。
【図８Ｂ】本発明の一実施形態によって日程表情報を設定するための対話ウィンドーの一例を示す図面である。
【図８Ｃ】本発明の一実施形態によって日程表情報を設定するための対話ウィンドーの一例を示す図面である。
【図９Ａ】本発明の一実施形態によって日程表情報を設定するための対話ウィンドーの一例を示す図面である。
【図９Ｂ】本発明の一実施形態によって日程表情報を設定するための対話ウィンドーの一例を示す図面である。
【図９Ｃ】本発明の一実施形態によって日程表情報を設定するための対話ウィンドーの一例を示す図面である。
【図９Ｄ】本発明の一実施形態によって日程表情報を設定するための対話ウィンドーの一例を示す図面である。
【図１０Ａ】本発明の一実施形態によって住所録情報を設定するための対話ウィンドーの一例を示す図面である。
【図１０Ｂ】本発明の一実施形態によって住所録情報を設定するための対話ウィンドーの一例を示す図面である。
【図１０Ｃ】本発明の一実施形態によって住所録情報を設定するための対話ウィンドーの一例を示す図面である。
【図１１Ａ】本発明の一実施形態によって住所録情報を設定するための対話ウィンドーの他の一例を示す図面である。
【図１１Ｂ】本発明の一実施形態によって住所録情報を設定するための対話ウィンドーの他の一例を示す図面である。
【図１２Ａ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果の一例を示す図面である。
【図１２Ｂ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果の一例を示す図面である。
【図１２Ｃ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果の一例を示す図面である。
【図１３Ａ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらにの一例を示す図面である。
【図１３Ｂ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらにの一例を示す図面である。
【図１３Ｃ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらにの一例を示す図面である。
【図１４Ａ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらに他の一例を示す図面である。
【図１４Ｂ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらに他の一例を示す図面である。
【図１４Ｃ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらに他の一例を示す図面である。
【図１５】本発明の一実施形態によってＸＨＴＭＬ−Ｐｒｉｎｔデータを解釈して印刷した個人管理情報の他の一例を示す図面である。
【図１６】本発明の一実施形態によってＸＨＴＭＬ−Ｐｒｉｎｔデータを解釈して印刷した個人管理情報のさらに他の一例を示す図面である。
【図１７Ａ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらに他の一例を示す図面である。
【図１７Ｂ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらに他の一例を示す図面である。
【図１７Ｃ】本発明の一実施形態によって検出されたＸＨＴＭＬ−Ｐｒｉｎｔテンプレートを使用して生成されたＸＨＴＭＬ−Ｐｒｉｎｔデータおよびそれによる印刷結果のさらに他の一例を示す図面である。
【図１８】本発明の一実施形態によるデバイスを利用した個人管理情報印刷システムを説明するための一実施形態のブロック図である。
【図１】
2009533747.tif 000003
【図２】
2009533747.tif 000004
【図３】
2009533747.tif 000005
【図４】
2009533747.tif 000006
【図５】
2009533747.tif 000007
【図６】
2009533747.tif 000008
【図７】
2009533747.tif 000009
【図８Ａ】
2009533747.tif 000010
【図８Ｂ】
2009533747.tif 000011
【図８Ｃ】
2009533747.tif 000012
【図９Ａ】
2009533747.tif 000013
【図９Ｂ】
2009533747.tif 000014
【図９Ｃ】
2009533747.tif 000015
【図９Ｄ】
2009533747.tif 000016
【図１０Ａ】
2009533747.tif 000017
【図１０Ｂ】
2009533747.tif 000018
【図１０Ｃ】
2009533747.tif 000019
【図１１Ａ】
2009533747.tif 000020
【図１１Ｂ】
2009533747.tif 000021
【図１２Ａ】
2009533747.tif 000022
【図１２Ｂ】
2009533747.tif 000023
【図１２Ｃ】
2009533747.tif 000024
【図１３Ａ】
2009533747.tif 000025
【図１３Ｂ】
2009533747.tif 000026
【図１３Ｃ】
2009533747.tif 000027
【図１４Ａ】
2009533747.tif 000028
【図１４Ｂ】
2009533747.tif 000029
【図１４Ｃ】
2009533747.tif 000030
【図１５】
2009533747.tif 000031
【図１６】
2009533747.tif 000032
【図１７Ａ】
2009533747.tif 000033
【図１７Ｂ】
2009533747.tif 000034
【図１７Ｃ】
2009533747.tif 000035
【図１８】
2009533747.tif 000036
【国際調査報告】
2009533747.tif 000037
2009533747.tif 000038